(57)【要約】      （修正有）【課題】吸盤の壁等に対する吸着力が消失して落下してしまう時点よりも前の吸着力が弱まった時点を知ることができ、ワンタッチ操作で吸盤の吸着力を回復させて落下を未然に防ぐことができるタオル掛けを提供する。【解決手段】背面に中心軸を有する吸盤１０と、フレア部２１および筒部２２を有するホルダー２０と、大径部３１と小径部３３とを有し筒部２２に挿入され、小径部３３が中心軸に連結され、大径部３１が筒部２２に案内される押込操作体３０と、段差面３２と環状壁部２３との間に挟圧された圧縮コイルばね５０と、ホルダーの貫通孔２５に嵌入されたタオル掛けリング６０と、を備え、非吸着時は、押込操作体３０がホルダーの筒部２２より大きく突出し、吸着時には、押込操作体がホルダーに対し押し込み位置に移動し、押込操作体の押込端面部４１ａがホルダーの端面に略一致する。【選択図】図３
0003211210.tif 000002
【実用新案登録請求の範囲】
【請求項１】
吸盤と、前記吸盤の背面に被さるフレア部および前記フレア部の小径端より延在する筒部を有するホルダーと、一端を前記吸盤の背面側の隆起した中央部に固定され他端側を前記フレア部に挿入される中心軸と、大径部と小径部とを有し前記ホルダーの前記筒部に挿入され、前記小径部が前記中心軸に連結され、前記大径部が前記筒部に案内される押込操作体と、前記押込操作体の段差面と前記ホルダーの内部に備えられた環状壁部との間に挟圧された付勢手段と、一カ所が分断されたリング状で分断箇所の対向一対の端部を前記ホルダーの前記筒部に設けられた貫通孔に嵌入されたタオル掛けリングと、を備え、
前記吸盤が被吸着面に吸着しない状態では、前記吸盤の前記背面側の外周縁部が前記フレア部と当接し、前記中央部が前記吸盤の吸着面側に台錐状の凹部が形成され、
前記吸盤が前記被吸着面に吸着された状態では、前記凹部内が浅くなり前記凹部内の空気が前記吸盤の外方に排出され、かつ、前記付勢手段の付勢により前記凹部には前記台錐状に復原作用が生じ前記凹部が前記被吸着面に吸着した状態になるとともに、前記フレア部の大径側の端面が前記吸盤の前記外周縁部を前記被吸着面に向かって押圧するように構成されていることを特徴とするタオル掛け。
【請求項２】
前記押込操作体は、前記大径部の外面が前記ホルダーの外面と色を異にしている請求項１に記載のタオル掛け。
【請求項３】
前記押込操作体は、前記大径部が筒状に形成され、端面開口を閉じる指当てキャップを備え、前記指当てキャップのキャップ本体の指当て端面部および周面部の色が、前記ホルダーの外面と色と同一である請求項２に記載のタオル掛け。
【請求項４】
前記フレア部は、大径側の端部が短円筒部になっていて、その端面が、前記ホルダーの軸心に対して垂直な端面となっている請求項１ないし３のいずれか一の請求項に記載のタオル掛け。
【請求項５】
前記押込操作体は、前記小径部が筒状に形成され、前記小径部内に前記中心軸が嵌入し、かつ、前記小径部の前記中心軸と嵌合する領域の内面と、前記中心軸の前記小径部と嵌合する領域の外面とに分配された係合用凹部と係合用凸部とが連結している請求項１ないし４のいずれか一の請求項に記載のタオル掛け。
【請求項６】
前記付勢手段は、前記押込操作体の前記小径部の外周に巻装されかつ前記小径部が前記中心軸の他端と連結されたときに前記押込操作体の段状端面と前記ホルダーの内面より設けられた環状壁部との間に挟圧されるように構成されている圧縮コイルばねである請求項１ないし５のいずれか一の請求項に記載のタオル掛け。
【請求項７】
前記タオル掛けリングは、パイプ材よりなり、各前記端部に嵌着された端面キャップが、前記ホルダーの前記貫通孔に嵌入され前記押込操作体の前記大径部に設けられた平面部に当接している請求項１ないし６のいずれか一の請求項に記載のタオル掛け。
【考案の詳細な説明】
【技術分野】
【０００１】
本考案は、タオル掛けに関する。
【背景技術】
【０００２】
従来、壁面等の被取付面に対する取付手段として吸盤を備えているとともに、吸盤と連結されタオルを掛けるための部材としてリングを備えているタオル掛けが提案されている（例えば、特許文献１，２）。
【０００３】
特許文献１に開示されたタオル掛けは、いずれも短い筒部を有しかつ筒部の一端が閉じられた形状である本体１と蓋体２とを有し、該本体１の底面部中央に穿たれた孔に、吸盤４の外面中央の軸部のくびれ部１０が嵌着され、前記本体１および本体に被せる蓋体２の、嵌合部の直径方向に二位置に半割りとなるように設けられた角孔に、リング３の一部に形成された小径の角軸部を両端支持されるように挿通された構成である。
【０００４】
特許文献２に開示されたタオル掛けは、取付部材（吸盤）１１の背面部中央に設けられた膨出基部１２を貫通する貫通孔１３を上下方向に向けて、取付部材（吸盤）１１を壁等に吸着させ、両側面に開孔９，９を有し、開孔９，９にタオルを掛ける湾曲棒状体（リング）１の両端部２，２が挿入されるケース５について、下面側に開かれていて上面部の内面より前記湾曲棒状体の両端部間に垂下する棒（軸部）６を備え、該棒６を前記膨出基部１２の貫通孔１３に上方から挿し込むことで組み付けられる構成である。
【先行技術文献】
【特許文献】
【０００５】
【特許文献１】実公平３−４４０４５号公報
【特許文献２】実公平５−２５５１２号公報
【考案の概要】
【考案が解決しようとする課題】
【０００６】
しかしながら、特許文献１，２のタオル掛けは、いずれも、吸盤の壁等に対する吸着力が弱まる度合いを知ることができないので、タオルを掛けたタオル掛けが吸盤の吸着力を消失して落下してしまうことを未然に回避することができない、という問題点があった。
【０００７】
本考案は、上述のような課題を解決するためになされたもので、吸盤の壁等に対する吸着力が消失して落下してしまう時点よりも前の吸着力が弱まった時点を知ることができ、ワンタッチ操作で吸盤の吸着力を回復させて落下を未然に防ぐことができるタオル掛けを提供することを目的としている。
【課題を解決するための手段】
【０００８】
本考案に係るタオル掛けは、上記目的達成のため、吸盤と、前記吸盤の背面に被さるフレア部および前記フレア部の小径端より延在する筒部を有するホルダーと、一端を前記吸盤の背面側の隆起した中央部に固定され他端側を前記フレア部に挿入される中心軸と、大径部と小径部とを有し前記ホルダーの前記筒部に挿入され、前記小径部が前記中心軸に連結され、前記大径部が前記筒部に案内される押込操作体と、前記押込操作体の段差面と前記ホルダーの内部に備えられた環状壁部との間に挟圧された付勢手段と、一カ所が分断されたリング状で分断箇所の対向一対の端部を前記ホルダーの前記筒部に設けられた貫通孔に嵌入されたタオル掛けリングと、を備え、前記吸盤が被吸着面に吸着しない状態では、前記吸盤の前記背面側の外周縁部１１ａが前記フレア部と当接し、前記中央部が前記吸盤の吸着面側に台錐状の凹部が形成され、前記吸盤が前記被吸着面に吸着された状態では、前記凹部内が浅くなり前記凹部内の空気が前記吸盤の外方に排出され、かつ、前記付勢手段の付勢により前記凹部には前記台錐状に復原作用が生じ前記凹部が前記被吸着面に吸着した状態になるとともに、前記フレア部の大径側の端面が前記吸盤の前記外周縁部１１ａを前記被吸着面に向かって押圧するように構成されている。
【０００９】
この構成によれば、本考案に係るタオル掛けは、吸盤が被吸着面に吸着しない状態では、付勢手段の付勢により、押込操作体の押込端面部が、ホルダーの筒部より最大突出寸法突出し、吸盤の中央部がフレア部内に所要寸法引き込まれるとともに吸盤の背面側の外周縁部１１ａがフレア部と当接して中央部が吸盤の吸着面側に台錐状でかつ最大突出寸法よりも僅かに大きい深さを有する凹部が形成される。そして、吸盤が被吸着面に当てがわれ押込操作体がホルダーの筒部に押し込まれる際には、凹部内の空気が吸盤の外方に排出され凹部が最大突出寸法だけ復帰移動して浅くなり、吸盤が付勢手段の付勢により僅かに復原し凹部には台錐状に復原作用が生じ凹部が被吸着面に吸着した状態になるとともに、大気圧で吸着方向に付勢されるフレア部の大径側の端面が吸盤の外周縁部１１ａを被吸着面に向かって押圧するので、吸盤の被吸着面に対する吸着力が大きく安定して維持される。そして、本考案に係るタオル掛けは、吸盤が被吸着面に吸着してから長時間経過し吸盤の吸着力が弱まることにより、押込操作体が、ホルダーの筒部より一定寸法突出したことを視認できたときには、吸盤の壁等に対する吸着力の弱まった度合いが吸盤の吸着が解消する限界値に近づいている時間的段階として知ることができる。そこで、押込操作体がホルダーの筒部に押し込まれると、吸盤を壁等に再度押付けて吸盤の吸着力を回復することができ、もって、吸盤が吸着力を消失して落下してしまうことを未然に回避することができる。
【００１０】
本考案に係るタオル掛けによれば、前記押込操作体は、前記大径部の外面が前記ホルダーの外面と色を異にしている構成であることが好ましい。
【００１１】
この構成によれば、本考案に係るタオル掛けは、押込操作体がホルダーの筒部から突出していることを色で注意を喚起され検知できるから、押込操作体のホルダーの筒部からの突出寸法を観察することにより、押込み操作することが必要なタイミングが来たことを認識することができる。
【００１２】
本考案に係るタオル掛けによれば、前記押込操作体は、前記大径部が筒状に形成され、端面開口を閉じる指当てキャップを備え、前記指当てキャップのキャップ本体の指当て端面部および周面部の色が、前記ホルダーの外面と色と同一である構成であることが好ましい。
【００１３】
この構成によれば、本考案に係るタオル掛けは、指当てキャップの厚みを調整することで、吸盤の壁等に対する吸着力の弱まった度合いが吸盤の吸着が解消する限界値に近づいた時点と、指当てキャップの厚み分だけ筒部から突出し、押込操作体の大径部がホルダーの外面と異なった色で露出し始める時点とを合わせることができ、押込操作体の大径部がホルダーの外面と異なった色で露出し始める時点をもって、押込み操作することが必要なタイミングが来たことを認識することができる。
【００１４】
本考案に係るタオル掛けによれば、前記フレア部は、大径側の端部が短円筒部になっていて、その端面が、前記ホルダーの軸心に対して垂直な端面となっている構成であることが好ましい。
【００１５】
この構成によれば、本考案に係るタオル掛けは、吸盤の壁等に対する吸着時に、端面が吸盤の外周部の外周縁部１１ａを円形線なく環状面で押圧することができ、外周部に対する押圧が良好に行われる。
【００１６】
本考案に係るタオル掛けによれば、前記押込操作体は、前記小径部が筒状に形成され、前記小径部内に前記中心軸が嵌入し、かつ、前記小径部の前記中心軸と嵌合する領域の内面と、前記中心軸の前記小径部と嵌合する領域の外面とに分配された係合用凹部と係合用凸部とが連結する構成であることが好ましい。
【００１７】
この構成によれば、本考案に係るタオル掛けは、押込操作体と吸盤とを強く押し合うようにするだけで、小径部と中心軸とを連結させることができ、組付けが容易である。
【００１８】
本考案に係るタオル掛けによれば、前記付勢手段は、前記押込操作体の前記小径部の外周に巻装されかつ前記小径部が前記中心軸の他端と連結されたときに前記段状端面と前記環状壁部との間に挟圧される圧縮コイルばねであることが好ましい。
【００１９】
この構成によれば、本考案に係るタオル掛けは、圧縮コイルばねを押込操作体の小径部の外周に巻装し、押込操作体をホルダーの筒部に挿入し、小径部をフレア部内に挿入する中心軸と連結することにより、圧縮コイルばねを段状端面と環状壁部との間に挟圧される状態に装着することができ、組付けが容易である。
【００２０】
本考案に係るタオル掛けによれば、前記タオル掛けリングは、パイプ材よりなり、各前記端部に嵌着された端面キャップが、前記ホルダーの前記貫通孔に嵌入され前記押込操作体の前記大径部に設けられた平面部に当接している構成であることが好ましい。
【００２１】
この構成によれば、本考案に係るタオル掛けは、タオル掛けリングの各端部に嵌着された端面キャップが、貫通孔よりも内部に位置されることになるから、タオル掛けリングの端部が貫通孔から脱出する恐れが無く、かつ、端面キャップが押込操作体の平面部に面接触するので、押込操作体の押し込み操作が滑らかに行われるとともに、押込操作体が圧縮コイルばね付勢により円滑に押し出される状態に保たれる。
【考案の効果】
【００２２】
本考案によれば、吸盤の壁等に対する吸着力が消失して落下してしまう時点よりも前の吸着力が弱まった時点を知ることができ、ワンタッチ操作で吸盤の吸着力を回復させて落下を未然に防ぐことができるタオル掛けを提供することができる。
【図面の簡単な説明】
【００２３】
【図１】本考案の実施の形態のタオル掛けに係り、吸盤を被吸着面に合わせただけの状態を示す要部水平断面図である。
【図２】本考案の実施の形態のタオル掛けに係る分解斜視図である。
【図３】本考案の実施の形態のタオル掛けに係り、吸盤を被吸着面に吸着させた状態を示す要部水平断面図である。
【図４】本考案の実施の形態のタオル掛けに係り、吸盤を被吸着面に合わせただけの状態を示す一部断面した斜視図である。
【図５】本考案の実施の形態のタオル掛けに係り、吸盤を被吸着面に合わせただけの状態を示す一部断面した水平面図である。
【図６】本考案の実施の形態のタオル掛けに係り、吸盤を被吸着面に吸着させた状態を示す一部断面した斜視図である。
【図７】本考案の実施の形態のタオル掛けに係り、吸盤を被吸着面に吸着させた状態を示す一部断面した水平面図である。
【考案を実施するための形態】
【００２４】
以下、本考案の実施の形態に係るタオル掛けについて図面を用いて説明する。
【００２５】
先ず、図１、図２に示すように、タオル掛け１は、吸盤１０と、中心軸１５と、ホルダー２０と、押込操作体３０と、指当てキャップ４０と、付勢手段としての圧縮コイルばね５０と、タオル掛けリング６０と、備えている。
【００２６】
吸盤１０は、密着性、弾性を有する合成樹脂、例えばポリ塩化ビニル（ＰＶＣ）よりなり、円環状の領域の外周部１１と、外周部１１に取り囲まれた円状の領域の中央部１２とを有し、外周部１１と中央部１２の吸着面側の面部が一平面となるように成形されており、外周部１１の一側より舌状に延在された吸着解除用の把持片１を有している。外周部１１の厚さは例えば１．５〜２．５ｍｍであり、中央部１２の厚さは例えば８〜１２ｍｍである。吸盤１０は中央部１２において中心軸１５を支持している。
【００２７】
中心軸１５は、例えばポリアセタールよりなり、一端に大径鍔部１５ａを有し、大径鍔部１５ａを吸盤１０の中央部１２の中央部に二色成形によりモールドされ、他端が吸盤１０の軸線に沿って延びている。
【００２８】
ホルダー２０は、例えばＡＢＳ樹脂よりなり、吸盤１０の吸着面と反対側の面に被さるフレア部２１と、フレア部２１の小径端より延在された筒部２２と、筒部２２のフレア部２１との接続側の内周部より内方へ延在された環状壁部２３と、環状壁部２３を介して支持された筒状ガイド部２４と、筒部２２に筒軸線と直角方向に貫通して設けられた一対の貫通孔２５と、を有する。フレア部２１は、大径側の端部が短円筒部２１ａになっていて、短円筒部２１ａの端面が、ホルダー２０の軸心に対して垂直な端面２１ｂとなっている。フレア部２１と筒部２２の外面は、例えばシルバー塗料が塗布される。
【００２９】
押込操作体３０は、例えばＡＢＳよりなり、大径部３１と、大径部３１の一端の段差面３２より同軸上に延在する小径部３３と、を有する段軸状に形成されている。大径部３１の外面は、フレア部２１と筒部２２の外面と異なる色の塗料、例えば青色あるいは赤色の塗料が塗布される。
【００３０】
大径部３１は、筒部２２の内面により筒軸方向に案内される外面を有し、かつ外面の互いに反対側の二位置に筒部２２の内面に対し外面よりも後退して互いに平行な一対の平面部３４を有する。
【００３１】
小径部３３は、挿入方向先側となるように大径部３１および小径部３３がホルダー２０の筒部２２内に収容されている。小径部３３は、筒状に形成されていて、中心軸１５が嵌入し、かつ、小径部３３の中心軸１５と嵌合する領域の内面と、中心軸１５の小径部３３と嵌合する領域の外面とに分配された係止用凹部３５と係止用凸部１６とが連結している。
【００３２】
なお、係止用凹部３５と係止用凸部１６とが位置関係を逆転した状態に設けられてもよい。また、中心軸１５と小径部３３との連結がカップリングを介して行われる構成であってもよい。さらに、小径部３３が筒状でなく中実状であるときは、中心軸１５の小径部３３に連結する側の端部が筒状に形成されていればよい。
【００３３】
指当てキャップ４０は、例えばＡＢＳよりなり、押込操作体３０の筒状に形成された大径部３１の端部開口を閉じるように設けられている。指当てキャップ４０は、径が大径部３１の外径と等しく、大径部３１の端面に当接される円板状のキャップ本体４１と、キャップ本体４１の大径部３１の端面に当接する側の面より延在され大径部３１の内面に嵌合する筒部４２と、筒部４２の直径方向の二か所よりそれぞれ延在された一対のフック部４３とを有する。キャップ本体４１の外面は、フレア部２１と筒部２２の外面と同一色の塗料が塗布される。
【００３４】
一対のフック部４３は、ホルダー２０の筒部２２を筒軸方向に延びて大径部３１に設けられた係合用開口３６に係止している。
【００３５】
圧縮コイルばね５０は、押込操作体３０の小径部３３の外周に巻装されかつ小径部３３が中心軸１５の他端と連結されたときに段差面３２と環状壁部２３との間に挟圧される押込操作体３０をホルダー２０の筒部２２から押し出す方向に付勢するように構成されている。筒部２２の内面には、圧縮コイルばね５０を筒軸と同心に保持する複数のリブ２６が設けられている。圧縮コイルばね５０には、例えばステンレス鋼線、ばね鋼線等からなる。
【００３６】
タオル掛けリング６０は、長尺直線部６１と、長尺直線部６１の各一端より上側に半円状に延在する一対の半円部６２と、一対の半円部６２の対向端より互いに接近する方向に延在する一対の短尺直線部６３と、を有する長円環形に曲成され、短尺直線部６３の端面開口に端面キャップ６５が嵌着され、短尺直線部６３の各端部６４が、ホルダー２０の一対の貫通孔２５に対し両側から嵌入し、端面キャップ６５が平面部３４に摺接するように構成されている。要するに、タオル掛けリング６０は、タオル掛けリング６０と、長円環形の一方の直線部の中程で分断されていて、分断された各端部６４がホルダー２０の一対の貫通孔２５に対し両側から嵌入し、各平面部３４に当接するように取付けられている。
【００３７】
タオル掛けリング６０は、例えば、ステンレス製、銅製、真鍮製、アルミニウム製、プラスチック製、セラミック製、木製のいずれの材質により形成されていてもよい。タオル掛けリング６０は、ステンレス製、銅製、真鍮製中空な棒状材より成形されていることが好ましい。
【００３８】
さらに、構成を詳述する。図１に示すように、環状壁部２３と段差面３２との間に挟挿された圧縮コイルばね５０は、押込操作体３０の段差面３２を付勢している。この付勢により、押込操作体３０の端部は、ホルダー２０の筒部２２より最大突出寸法（図１中の寸法ａ）突出した状態になるとともに、押込操作体３０の小径部３３と連結された中心軸１５がホルダー２０の筒部２２の方向に移動され、中心軸１５の段部１５ｂがホルダー２０の筒状ガイド部２４に当接する。
【００３９】
そして、中心軸１５がホルダー２０の筒部２２の方向に移動され、段部１５ｂが筒状ガイド部２４に当接することにより、吸盤１０の中央部１２がフレア部２１内に所要寸法引き込まれるとともに吸盤１０の背面側の外周縁部１１ａがフレア部２１と当接して中央部１２が吸盤１０の吸着面側に台錐状でかつ最大突出寸法ａよりも僅かに大きい深さ（図１中の寸法ｂ＝寸法ａ＋ｃ）を有する凹部１４が形成される。寸法ｄは、指当てキャップ４０のキャップ本体４１の外周面の幅を示す。なお、図１中の寸法ａ、ｂ、ｃ、ｄは、例えば５ｍｍ、７ｍｍ、２ｍｍ、２ｍｍに設定される。
【００４０】
吸盤１０の成形形状は、図２に示すように、外周部１１と中央部１２の吸着面側の面部が一平面になっている。そして、吸盤１０が被吸着面Ｈに吸着される前の状態では、中心軸１５と押込操作体３０の小径部３３とが連結され、圧縮コイルばね５０の付勢により、指当てキャップ４０がホルダー２０の筒部２２より最大突出寸法ａ（＝５ｍｍ）だけ突出した状態になる。この状態では、吸盤１０は、中央部１２の吸着側の面部がフレア部２１の端面２１ｂを含む平面よりフレア部２１の凹部側に７ｍｍ引き込まれることになり、外周部１１の吸着面側と反対側面部の外周端の近傍部位がフレア部２１の内面大径端に当接し、深さ７ｍｍの円錐状の凹部１４を形成する状態になる。
【００４１】
そして、図３に示すように、吸盤１０が被吸着面Ｈに当てがわれると、凹部１４が被吸着面Ｈで密閉された状態になり、この状態で押込操作体３０が５ｍｍ押し込まれ、指当てキャップ４０の押込端面部４１ａがホルダー２０の筒部２２の端面と一致すると、凹部１４内の空気を外方に排出し、凹部１４の深さ２ｍｍの円錐状となり、かつ、外周部１１の外周領域が変形して被吸着面Ｈに密着する。また同時に、押込操作体３０に作用する押し込み力が圧縮コイルばね５０、環状壁部２３を介してホルダー２０を被吸着面Ｈの方向に移動させることになり、フレア部２１の端面２１ｂが吸盤１０の外周部１１を被吸着面Ｈに向かって押圧するようになっている。その後、押込操作体３０への押込力が解除されると、吸盤１０が圧縮コイルばね５０の付勢により凹部１４を極小寸法大きくなるよう復原する。凹部１４が極小寸法大きくなるよう復原することで、凹部１４内に負圧が発生するとともに、この負圧の発生と同時に、大気圧がフレア部２１を被吸着面Ｈに押付ける方向にフレア部２１の外面に作用し、フレア部２１の端面２１ｂが吸盤１０の外周部１１を被吸着面Ｈに向かって押圧するようになっている。
【００４２】
次に、上記構成の実施の形態に係るタオル掛け１は以下のような効果を有する。
【００４３】
本実施の形態に係るタオル掛け１は、吸盤１０が被吸着面Ｈに吸着しない状態では、圧縮コイルばね５０の付勢により、押込操作体３０の押込端面部４１ａが、ホルダー２０の筒部２２より最大突出寸法ａ突出し、吸盤１０の中央部１２がフレア部２１内に所要寸法引き込まれるとともに吸盤１０の背面側の外周縁部１１ａがフレア部２１と当接して中央部１２が吸盤１０の吸着面側に台錐状でかつ最大突出寸法よりも僅かに大きい深さを有する凹部１４が形成される。そして、吸盤１０が被吸着面Ｈに当てがわれ押込操作体３０がホルダー２０の筒部２２に押し込まれる際には、凹部１４内の空気が吸盤１０の外方に排出され凹部１４が最大突出寸法だけ復帰移動して浅くなり、吸盤１０が圧縮コイルばね５０の付勢により僅かに復原し凹部１４には台錐状に復原作用が生じ、凹部１４が被吸着面Ｈに吸着した状態になるとともに、大気圧で吸着方向に付勢されるフレア部２１の大径側の端面２１ｂが吸盤１０の外周縁部１１ａを被吸着面Ｈに向かって押圧するので、吸盤１０の被吸着面Ｈに対する吸着力が大きく安定して維持される。
【００４４】
次に、タオル掛け１の作用について簡単に説明する。
【００４５】
図１、図４、図５に示すように、吸盤１０が吸着する前の状態では、押込操作体３０が、圧縮コイルばね５０の付勢により、ホルダー２０の筒部２２より突出しているとともに、吸盤１０が、フレア部２１内に引き込まれ深さが大きい凹部１４を形成している。
【００４６】
図３、図６、図７に示すように、吸盤１０が被吸着面Ｈに当てがわれ、指当てキャップ４０の押込端面部４１ａに押込力が作用し、押込操作体３０が押し込まれると、吸盤１０の凹部１４が浅くなる。押込端面部４１ａへの押込力が解除されると、圧縮コイルばね５０の付勢により凹部１４が容積を拡大しようとしたときに、吸盤１０により吸着が行われる。このとき、凹部１４内が真空に近い負圧になるとともに、フレア部２１の外面に大気圧が被吸着面Ｈの方向に作用し、フレア部２１の大径側の端面が吸盤１０の外周縁部１１ａを被吸着面Ｈに向かって押圧し、吸盤１０の被吸着面Ｈに対する吸着が安定して行われる。もって、タオル掛けリング６０にタオルを掛けることができる。
【００４７】
吸着後は、外周部１１と被吸着面Ｈとの密着面との間を凹部１４内に向かう極微量の拡散空気が侵入することを回避できない。しかし、凹部１４内への極微量の拡散空気の１〜数日の蓄積では、極小な変化となって現れることはない。吸盤１０の吸着力が急激に負荷を下回ることにはならない。吸着後は、凹部１４内への極微量の拡散空気の数か月経過したときの蓄積は、図３に示す押込操作体３０のホルダー２０からの突出寸法ｅの変化となって現れ、視認することができるようになる。そして、突出寸法ｅが指当てキャップ４０の押込端面部４１ａの外周面の厚み寸法ｄ（＝２ｍｍ）より大きくなり始めると、大径部３１が露出し始める。この場合、大径部３１の外面はホルダー２０の筒部２２の外面と色が異なるので、大径部３１が露出し始めたことを視認できる。この視認ができることで、吸盤１０の壁等に対する吸着力の弱まった度合いが吸盤の吸着が解消する限界値に近づいている時間的段階として知ることができる。数日が経過して、大径部３１の外面を例えば１ｍｍ幅で視認できたときには、遅滞なく指当てキャップ４０をホルダー２０の筒部２２の端面より内方へ強く押し込むことにより、吸盤１０の被吸着面Ｈへの吸着力を回復させることができ、もって、吸盤１０が吸着力を消失して落下してしまうことを未然に回避することができる。なお、大径部３１の外面を例えば１ｍｍ幅で視認できたときの凹部１４内の真空圧が、さらに数日を経過するまでの間は、吸盤１０の吸着力が負荷を十分に上回る状態に設定されていれば、大径部３１の外面を１ｍｍ幅で視認できてから数日間は、指当てキャップ４０を押し込む猶予期間となる。
【００４８】
本実施の形態に係るタオル掛け１は、検出線４４が露出した時点で吸盤１０の壁等に対する吸着力が弱まっていることを誤差なく検出をすることになるから、押込端面部４１ａの筒部２２からの突出度合いの把握について人為的な誤差を無くすことができるから、押込操作体３０を押し込むことで、吸盤１０を壁等の被吸着面Ｈに押付けて吸盤１０の吸着力を回復し、タオルを掛けたタオル掛け１が吸盤１０の吸着力を消失して落下してしまうことを未然に一層確実に、回避することができる。
【００４９】
本実施の形態に係るタオル掛け１は、押込操作体３０と吸盤１０とを強く押し合うようにするだけで、小径部３３と中心軸１５とを連結させることができ、組付けが容易である。
【００５０】
本実施の形態に係るタオル掛け１は、押込操作体３０の軽量化が図れるとともに、指当てキャップ４０を押込操作体３０とは別の色の樹脂で成形し、指当てキャップ４０の厚みを調整することで、指当てキャップ４０の厚み分だけ筒部２２から突出したら、押込操作体３０を押込み操作することが必要なタイミングとして認識することができ、指当てキャップ４０の周面の樹脂色で検出線４４を兼ねることができる。
【００５１】
本実施の形態に係るタオル掛け１は、フレア部２１の大径側の端部が短円筒部２１ａになっていて、その端面２１ｂが、ホルダー２０の軸心に対して垂直な端面となっている構成であるので、吸盤１０の壁等に対する吸着時に、端面が吸盤１０の外周部１１の外周縁部１１ａを円形線なく環状面で押圧することができ、外周部１１に対する押圧が良好に行われる。
【００５２】
本実施の形態に係るタオル掛け１は、圧縮コイルばね５０を押込操作体３０の小径部の外周に巻装し、押込操作体３０をホルダー２０の筒部２２に挿入し、小径部３３をフレア部２１内に挿入する中心軸１５と連結することにより、圧縮コイルばね５０を段差面３２と環状壁部２３との間に挟圧される状態に装着することができ、組付けが容易である。
【００５３】
本実施の形態に係るタオル掛け１は、タオル掛けリング６０の各端部に嵌着された端面キャップ６５が、貫通孔２５よりも内部に位置されることになるから、タオル掛けリング６０の端部６４が貫通孔２５から脱出する恐れが無く、かつ、端面キャップ６５が押込操作体３０の平面部に面接触するので、押込操作体３０の押し込み操作が滑らかに行われるとともに、押込操作体３０が圧縮コイルばね５０の付勢により円滑に押し出される状態に保たれる。
【００５４】
本考案によれば、吸盤の壁等に対する吸着力が消失して落下してしまう時点よりも前の吸着力が弱まった時点を知ることができ、ワンタッチ操作で吸盤の吸着力を回復させて落下を未然に防ぐことができるという効果を有し、優れたタオル掛けを提供することができる。
【符号の説明】
【００５５】
１  タオル掛け
１０  吸盤
１１  外周部
１１ａ  外周縁部
１２  中央部
１５  中心軸
１６  係合用凸部
２０  ホルダー
２１  フレア部
２１ａ  短円筒部
２１ｂ  端面
２２  筒部
２３  環状壁部
２４  筒状ガイド部
２５  貫通孔
３０  押込操作体
３１  大径部
３２  段差面
３３  小径部
３４  平面部
３５  係合用凹部
４０  指当てキャップ
４１ａ  押込端面部
５０  圧縮コイルばね（付勢手段）
６０  タオル掛けリング
６４  端部
６５  端面キャップ
Ｈ  被吸着面
【図１】
0003211210.tif 000003
【図２】
0003211210.tif 000004
【図３】
0003211210.tif 000005
【図４】
0003211210.tif 000006
【図５】
0003211210.tif 000007
【図６】
0003211210.tif 000008
【図７】
0003211210.tif 000009